(57)【要約】【課題】  透明性、硬度、耐衝撃性、耐薬品性、成形性および加熱収縮性に優れたフィルムを作成するに好適な樹脂組成物を提供する。【解決手段】  メタクリル酸エステルを主成分とする単量体混合物を重合して得られるメタクリル酸エステル系重合体（Ａ）が、アクリル酸エステルを主成分とする単量体混合物および１分子あたり２個以上の非共役二重結合を有する多官能性単量体を共重合して得られるアクリル酸エステル系架橋弾性体粒子（Ｂ）の存在下で重合されて得られるメタクリル系樹脂組成物（Ｃ）であって、メタクリル系樹脂組成物（Ｃ）が２層構造重合体であり、（Ｃ）のメチルエチルケトン可溶分の重量平均分子量が５万〜１２万であり、（Ｂ）の平均粒子径が０．０４〜０．３μｍ、含有量が１８〜４０重量％、（Ｂ）中の多官能性単量体（ｂ−２）の共重合量ｂｍと重量平均分子量Ｍｗが特定の関係式を満たすことを特徴とする、メタクリル系樹脂組成物。【選択図】    なし【特許請求の範囲】
【請求項１】
メタクリル酸エステル系重合体（Ａ）が、メタクリル酸アルキルエステル５０〜１００重量％、およびアクリル酸アルキルエステル０〜５０重量％を含む単量体混合物を重合することにより得られ、
アクリル酸エステル系架橋弾性体粒子（Ｂ）が、アクリル酸アルキルエステル５０〜１００重量％およびメタクリル酸アルキルエステル０〜５０重量％を含む単量体混合物（ｂ−１）および、１分子あたり２個以上の非共役二重結合を有する多官能性単量体（ｂ−２）を共重合することにより得られ、
メタクリル酸エステル系重合体（Ａ）をアクリル酸エステル系架橋弾性体粒子（Ｂ）の存在下において重合することにより得られるメタクリル系樹脂組成物（Ｃ）であって、
（１）メタクリル系樹脂組成物（Ｃ）が、アクリル酸エステル系架橋弾性体粒子（Ｂ）、次いで、メタクリル酸エステル系重合体（Ａ）である２層構造重合体であり、
（２）アクリル酸エステル系架橋弾性体粒子（Ｂ）において、前記多官能性単量体（ｂ−２）が単量体混合物（ｂ−１）１００重量％に対して、０．１〜５重量％共重合され、
（３）メタクリル系樹脂組成物（Ｃ）のメチルエチルケトン可溶分の重量平均分子量（Ｍｗ）が５万〜１２万（ポリスチレン換算）であり、
（４）アクリル酸エステル系架橋弾性体粒子（Ｂ）の平均粒子径が０．０４μｍ〜０．３μｍであり、
（５）アクリル酸エステル系架橋弾性体粒子（Ｂ）の含有量が１８〜４０重量％であって、
（６）アクリル酸エステル系架橋弾性体粒子（Ｂ）中の多官能性単量体（ｂ−２）の上記共重合量ｂｍと上記重量平均分子量Ｍｗが下記式（ｉ）を満たすことを特徴とする、メタクリル系樹脂組成物。
３≦（Ｍｗ／１００００）／ｂｍ≦８    （ｉ）
【請求項２】
請求項１に記載のメタクリル系樹脂組成物（Ｃ）を成形してなる、フィルム。
【請求項３】
請求項２に記載のフィルムを積層した、積層品。
【発明の詳細な説明】
【技術分野】
【０００１】
本発明は、加工性に優れたメタクリル系樹脂およびそれを成形してなるフィルムに関する。
【背景技術】
【０００２】
アクリル酸エステル系架橋弾性体粒子を含むメタクリル系樹脂フィルムは、透明性、耐侯性、硬度および耐衝撃性に優れるため、プラスチック、木材、金属などの種々材料に積層（ラミネート）して基材の劣化防止、美観の維持などのために広く用いられている（例えば、特許文献１〜２参照）。
【０００３】
メタクリル系樹脂フィルムの透明性、耐候性、硬度、耐衝撃性等を改善するために、例えば、架橋弾性体粒子の層構造および粒子径を制御し、かつ、特定の化学構造を有する紫外線吸収剤を共重合するメタクリル系樹脂組成物からなるフィルムが開示されている（特許文献３参照）。
【０００４】
しかしながら、特許文献３のメタクリル系樹脂フィルムでは、例えば、熱可塑性樹脂シートに熱ラミネーション法により積層する際の加熱収縮性、塩化ビニルシートに積層した際の、塩化ビニルシートに配合される可塑剤に対する耐薬品性、さらに成形性に関して、改善すべき点があった。
【特許文献１】特開平１１−６０８７６号公報
【特許文献２】特開平６−７３１９９号公報
【特許文献３】国際公開公報ＷＯ２００５／０９５４７８
【発明の開示】
【発明が解決しようとする課題】
【０００５】
したがって、透明性、硬度、耐衝撃性、耐薬品性、成形性および加工性（加熱収縮性）に優れたフィルムを形成しうるメタクリル系樹脂組成物が求められていた。
【課題を解決するための手段】
【０００６】
そこで、本発明者らは鋭意検討した結果、アクリル酸エステル系架橋弾性体粒子およびメタクリル酸エステル系重合体からなるメタクリル系樹脂組成物において、アクリル酸エステル系架橋弾性体粒子中の多官能性単量体の共重合量、メタクリル系樹脂組成物のメチルエチルケトン可溶分の重量平均分子量、さらには、該架橋弾性体粒子の含有量を特定することにより、透明性、耐侯性、硬度、耐衝撃性および耐薬品性に優れ、成形性および加工性においても優れるフィルムを得ることができることを見出し、本発明に至った。
【０００７】
すなわち、本発明は、
メタクリル酸エステル系重合体（Ａ）が、メタクリル酸アルキルエステル５０〜１００重量％、およびアクリル酸アルキルエステル０〜５０重量％を含む単量体混合物を重合することにより得られ、
アクリル酸エステル系架橋弾性体粒子（Ｂ）が、アクリル酸アルキルエステル５０〜１００重量％およびメタクリル酸アルキルエステル０〜５０重量％を含む単量体混合物（ｂ−１）を共重合することにより得られ、
メタクリル酸エステル系重合体（Ａ）をアクリル酸エステル系架橋弾性体粒子（Ｂ）の存在下において重合することにより得られるメタクリル系樹脂組成物（Ｃ）であって、
（１）メタクリル系樹脂組成物（Ｃ）が、アクリル酸エステル系架橋弾性体粒子（Ｂ）、次いでメタクリル酸エステル系重合体（Ａ）である２層構造重合体であり、
（２）アクリル酸エステル系架橋弾性体粒子（Ｂ）において、前記多官能性単量体（ｂ−２）が単量体混合物（ｂ−１）１００重量％に対して、０．１〜５重量％共重合され、
（３）メタクリル系樹脂組成物（Ｃ）のメチルエチルケトン可溶分の重量平均分子量が５万〜１２万（ポリスチレン換算）であり、
（４）アクリル酸エステル系架橋弾性体粒子（Ｂ）の平均粒子径が０．０４〜０．３μｍであり、
（５）アクリル酸エステル系架橋弾性体粒子（Ｂ）の含有量が１８〜４０重量％であって、
（６）アクリル酸エステル系架橋弾性体粒子（Ｂ）中の多官能性単量体（ｂ−２）の上記共重合量ｂｍと上記重量平均分子量Ｍｗが下記式（ｉ）を満たすことを特徴とする、
メタクリル系樹脂組成物
３≦（Ｍｗ／１００００）／ｂｍ≦８    （ｉ）
（請求項１）、
請求項１に記載のメタクリル系樹脂組成物（Ｃ）を成形してなる、フィルム（請求項２）、および
請求項２に記載のフィルムを積層した、積層品（請求項３）に関する。
【発明の効果】
【０００８】
本発明により得られるメタクリル系樹脂組成物を成形してなるフィルムは、フィルムの必要特性である透明性、硬度、耐薬品性に優れ、さらに、成形性および加熱収縮性にも優れる。
【発明を実施するための最良の形態】
【０００９】
本発明におけるメタクリル酸エステル系重合体（Ａ）は、メタクリル酸アルキルエステル５０〜１００重量％およびアクリル酸アルキルエステル０〜５０重量％を含む単量体混合物を、少なくとも１段以上で重合させてなるものである。メタクリル酸エステル系重合体（Ａ）の単量体組成は、より好ましくは、メタクリル酸アルキルエステル６０〜１００重量％およびアクリル酸アルキルエステル０〜４０重量％を含むものである。アクリル酸アルキルエステルが５０重量％を超えると、得られるメタクリル系樹脂組成物から形成しうるフィルムの耐熱性および硬度が低下する傾向がある。
【００１０】
本発明におけるメタクリル酸エステル系重合体（Ａ）を構成するメタクリル酸アルキルエステルは、重合反応性やコストの点からアルキル基の炭素数が１〜１２であるものが好ましく、直鎖状でも分岐状でもよい。その具体例としては、例えば、メタクリル酸メチル、メタクリル酸エチル、メタクリル酸プロピル、メタクリル酸ｎ−ブチル、メタクリル酸イソブチル、メタクリル酸ｔ−ブチル等があげられ、これらの単量体は１種で使用してもよいし、２種以上が併用されてもよい。
【００１１】
本発明におけるメタクリル酸エステル系重合体（Ａ）を構成するアクリル酸アルキルエステルは、重合反応性やコストの点からアルキル基の炭素数が１〜１２であるものが好ましく、直鎖状でも分岐状でもよい。その具体例としては、例えば、アクリル酸メチル、アクリル酸エチル、アクリル酸プロピル、アクリル酸ｎ−ブチル、アクリル酸イソブチル、アクリル酸ｔ−ブチル、アクリル酸−２−エチルヘキシル、アクリル酸ｎ−オクチル等があげられ、これらの単量体は１種で使用してもよいし、２種以上が併用されてもよい。
【００１２】
本発明のメタクリル酸エステル系重合体（Ａ）においては、必要に応じて、メタクリル酸アルキルエステルおよびアクリル酸アルキルエステルに対して共重合可能なエチレン系不飽和単量体を共重合してもかまわない。これらの共重合可能なエチレン系不飽和単量体としては、例えば、塩化ビニル、臭化ビニル等のハロゲン化ビニル、アクリロニトリル、メタクリロニトリル等のシアン化ビニル、蟻酸ビニル、酢酸ビニル、プロピオン酸ビニル等のビニルエステル、スチレン、ビニルトルエン、α−メチルスチレン等の芳香族ビニル誘導体、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロールアクリルアミド等のアクリル酸アルキルエステル誘導体、メタクリル酸、メタクリル酸ナトリウム、メタクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体等があげられ、これらの単量体は１種で使用してもよいし、２種以上が併用されてもよい。
【００１３】
本発明において用いられるアクリル酸エステル系架橋弾性体粒子（Ｂ）は、アクリル酸アルキルエステル５０〜１００重量％およびメタクリル酸アルキルエステル０〜５０重量％を含む単量体混合物（ｂ−１）および、１分子あたり２個以上の非共役二重結合を有する多官能性単量体（ｂ−２）からなる混合物を、少なくとも１段以上で共重合させてなるものである。単量体混合物（ｂ−１）は、より好ましくは、アクリル酸アルキルエステル６０〜１００重量％およびメタクリル酸アルキルエステル０〜４０重量％である。メタクリル酸アルキルエステルが５０重量％を超えると、得られるメタクリル系樹脂組成物から形成しうるフィルムの硬度、耐衝撃性が低下する傾向がある。
【００１４】
本発明のアクリル酸エステル系架橋弾性体粒子（Ｂ）においては、必要に応じて、メタクリル酸アルキルエステルおよびアクリル酸アルキルエステルと共重合可能なエチレン系不飽和単量体を共重合してもかまわない。
【００１５】
本発明のアクリル酸エステル系架橋弾性体粒子（Ｂ）で用いられるアクリル酸アルキルエステル、メタクリル酸アルキルエステルおよび、これらと共重合可能なエチレン系不飽和単量体の具体例は、前記メタクリル酸エステル系重合体（Ａ）に使用したものがあげられる。
【００１６】
本発明におけるアクリル酸エステル系架橋弾性体粒子（Ｂ）は、１分子あたり２個以上の非共役な反応性二重結合を有する多官能性単量体（ｂ−２）が共重合されているため、得られる重合体が架橋弾性を示す。また、アクリル酸エステル系架橋弾性体粒子（Ｂ）の重合時に反応せずに残った一方の反応性官能基（二重結合）がグラフト交叉点となって、一定割合のメタクリル酸エステル系共重合体（Ａ）が、アクリル酸エステル系架橋弾性体粒子（Ｂ）にグラフト化される。このことにより、アクリル酸エステル系架橋弾性体粒子（Ｂ）が、メタクリル酸エステル系共重合体（Ａ）中に不連続かつ均一に分散する。
【００１７】
本発明において用いられる多官能性単量体（ｂ−２）としては、アリルメタクリレ−ト、アリルアクリレ−ト、トリアリルシアヌレ−ト、トリアリルイソシアヌレ−ト、ジアリルフタレ−ト、ジアリルマレ−ト、ジビニルアジペ−ト、ジビニルベンゼンエチレングリコ−ルジメタクリレ−ト、ジビニルベンゼンエチレングリコ−ルジアクリレ−ト、ジエチレングリコ−ルジメタクリレ−ト、ジエチレングリコ−ルジアクリレ−ト、トリエチレングリコ−ルジメタクリレ−ト、トリエチレングリコ−ルジアクリレ−ト、トリメチロ−ルプロパントリメタクリレ−ト、トリメチロ−ルプロパントリアクリレ−ト、テトラメチロ−ルメタンテトラメタクリレ−ト、テトラメチロ−ルメタンテトラアクリレ−ト、ジプロピレングリコ−ルジメタクリレ−トおよびジプロピレングリコ−ルジアクリレ−ト等があげられ、これらは１種で使用してもよいし、２種以上が併用されてもよい。
【００１８】
本発明のアクリル酸エステル系架橋弾性体粒子（Ｂ）における多官能性単量体（ｂ−２）の共重合量ｂｍは、前記単量体混合物（ｂ−１）１００重量％に対して、０．１〜５重量％が好ましく、０．５〜４重量％がより好ましく、０．８〜３重量％が更に好ましい。多官能性単量体の共重合量ｂｍが０．１重量％未満では、メタクリル系樹脂組成物から形成しうるフィルムの耐衝撃性、耐薬品性が低下する傾向があり、５重量％を超えると、耐衝撃性、フィルムの成形性が低下する傾向がある。
【００１９】
本発明のメタクリル系樹脂組成物（Ｃ）においては、アクリル酸エステル系架橋弾性体粒子（Ｂ）中の多官能性単量体（ｂ−２）の共重合量ｂｍと、後述するメタクリル系樹脂組成物（Ｃ）のメチルエチルケトン可溶分の重量平均分子量（Ｍｗ）との間に、下記式（ｉ）を満たすことが好ましい。
３≦（Ｍｗ／１００００）／ｂｍ≦８    （ｉ）
（Ｍｗ／１００００）／ｂｍの値が３未満の場合、メタクリル系樹脂組成物から形成しうるフィルムの成形性が低下する傾向があり、８を超えた場合、フィルムの耐薬品性が低下する傾向がある。
【００２０】
本発明において用いられるメタクリル系樹脂組成物（Ｃ）は、メタクリル酸エステル系重合体（Ａ）をアクリル酸エステル系架橋弾性体粒子（Ｂ）の存在下において重合することにより得られる２層構造重合体である。これに対し、例えば、メタクリル酸エステル系重合体（Ａ）、アクリル酸エステル系架橋弾性体粒子（Ｂ）さらに、メタクリル酸エステル系重合体（Ａ）と順次段階的に重合するような３層構造重合体では、得られるメタクリル系樹脂組成物から形成しうるフィルムの耐衝撃性が低下する。
【００２１】
本発明におけるアクリル酸エステル系架橋弾性体粒子（Ｂ）の含有量は、メタクリル系樹脂組成物（Ｃ）全体を１００重量％とした場合に、１８〜４０重量％が好ましく、１８〜３８重量％がより好ましく、１８〜３５重量％がさらに好ましい。アクリル酸エステル系架橋弾性体粒子（Ｂ）の含有量が１８重量％未満では、得られるメタクリル系樹脂組成物から形成しうるフィルムの耐衝撃性、成形性が低下する（特に、フィルムの幅を調整するためスリットを入れると割れが生じる）傾向にあり、４０重量％を超えると、フィルムの硬度、成形性（フィルムの成形自体がし難い）および加工性（加熱収縮性）が低下する傾向にある。
【００２２】
本発明におけるメタクリル系樹脂組成物（Ｃ）の製造方法は特に限定されず、公知の乳化重合法、乳化−懸濁重合法、懸濁重合法、塊状重合法または溶液重合法が適用可能であるが、乳化重合法が特に好ましい。
【００２３】
本発明のアクリル酸エステル系架橋弾性体粒子（Ｂ）の重合における開始剤としては、公知の有機系過酸化物、無機系過酸化物、アゾ化合物などの開始剤を使用することができる。具体的には、例えば、ｔ−ブチルハイドロパ−オキサイド、１，１，３，３−テトラメチルブチルハイドロパ−オキサイド、スクシン酸パ−オキサイド、パ−オキシマレイン酸ｔ−ブチルエステル、クメンハイドロパーオキサイド、ベンゾイルパーオキサイド等の有機過酸化物や、過硫酸カリウム、過硫酸ナトリウム等の無機過酸化物、さらにアゾビスイソブチロニトリル等の油溶性開始剤も使用される。これらは単独で用いてもよく、２種以上併用してもよい。これらの開始剤は、亜硫酸ナトリウム、チオ硫酸ナトリウム、ナトリウムホルムアルデヒドスルフォキシレート、アスコルビン酸、ヒドロキシアセトン酸、硫酸第一鉄、硫酸第一鉄とエチレンジアミン四酢酸２ナトリウムの錯体なとの還元剤と組み合わせた通常のレドックス型開始剤として使用してもよい。
【００２４】
前記有機系過酸化物は、重合系にそのまま添加する方法、単量体に混合して添加する方法、乳化剤水溶液に分散させて添加する方法など、公知の添加法で添加することができるが、透明性の点から、単量体に混合して添加する方法あるいは乳化剤水溶液に分散させて添加する方法が好ましい。
【００２５】
前記有機系過酸化物は、重合安定性、粒子径制御の点から、２価の鉄塩等の無機系還元剤および／またはホルムアルデヒドスルホキシル酸ソ−ダ、還元糖、アスコルビン酸等の有機系還元剤と組み合わせたレドックス系開始剤として使用するのが好ましい。
前記乳化重合に使用される界面活性剤にも特に限定はなく、通常の乳化重合用の界面活性剤であれば使用することができる。具体的には、例えばアルキルスルフォン酸ナトリウム、アルキルベンゼンスルフォン酸ナトリウム、ジオクチルスルフォコハク酸ナトリウム、ラウリル硫酸ナトリウム、脂肪酸ナトリウム等の陰イオン性界面活性剤や、アルキルフェノ−ル類、脂肪族アルコ−ル類とプロピレンオキサイド、エチレンオキサイドとの反応生成物等の非イオン性界面活性剤等が示される。これらの界面活性剤は単独で用いてもよく、２種以上併用してもよい。更に要すれば、アルキルアミン塩等の陽イオン性界面活性剤を使用してもよい。
【００２６】
本発明における得られたアクリル酸エステル系架橋弾性体粒子（Ｂ）ラテックスの平均粒子径は、０．０４μｍ〜０．３μｍが好ましく、０．０４μｍ〜０．２５μｍがより好ましく、０．０４μｍ〜０．２μｍがさらに好ましい。アクリル酸エステル系架橋弾性体粒子（Ｂ）ラテックスの平均粒子径が０．０４μｍ未満では、得られるメタクリル系樹脂組成物から形成しうるフィルムの耐衝撃性が低下する傾向にあり、０．３μｍを超えると、フィルムの透明性が低下する傾向にある。
【００２７】
本発明における得られたメタクリル系樹脂組成物（Ｃ）のメチルエチルケトン可溶分の重量平均分子量が５万〜１２万（ポリスチレン換算）が好ましく、６万〜１１万がより好ましく、７万〜１０万がさらに好ましい。メタクリル系樹脂組成物（Ｃ）のメチルエチルケトン可溶分の重量平均分子量Ｍｗが５万未満では、得られるメタクリル系樹脂組成物から形成しうるフィルムの耐薬品性が低下する傾向にあり、１２万を超えると、フィルムの成形性、加熱収縮率が低下する傾向にある。
【００２８】
ここで、メタクリル系樹脂組成物（Ｃ）のメチルエチルケトン可溶分の重量平均分子量Ｍｗとは、以下の操作により得られた粉末サンプルを、ゲルパーミエーションクロマトグラフを用いて測定した値である。
すなわち、メタクリル系樹脂組成物（Ｃ）粉末をメチルエチルケトン４０ｍｌに添加し、１２時間室温で放置後、マグネチックスターラーを用い３０分間攪拌を行った。これを遠心分離機（日立工機（株）製、分級用遠心分離機ＣＰ６０Ｅ）を用い３００００ｒｐｍで１時間遠心分離し、デカンテーションにより、メチルエチルケトン不溶分と可溶分（溶液）とに分離した。メチルエチルケトン不溶分に、さらにメチルエチルケトン２０ｍｌを加え、同様に遠心分離およびデカンテーションを２回繰り返すことによりメチルエチルケトン不溶分と可溶分とに分離した。メチルエチルケトン可溶分は、該溶液に対してメタノールを用いて析出させ、真空乾燥機を用いて６０℃にて１０時間乾燥させて、粉末の可溶分サンプルとして得られる。
【００２９】
本発明における得られたメタクリル系樹脂組成物（Ｃ）のメチルエチルケトン可溶分の重量平均分子量は、メタクリル酸エステル系重合体（Ａ）を重合時、連鎖移動剤を用い制御することができる。
【００３０】
前記連鎖移動剤の使用量は、０．３〜２重量％が好ましく、０．３〜１．５重量％がより好ましく、０．３〜１重量％がさらに好ましい。連鎖移動剤の使用量が０．１重量％未満の場合は、成形性が低下する傾向にあり、５重量％を超えると耐薬品性が低下する傾向にある。
【００３１】
前記連鎖移動剤としては、通常ラジカル重合に用いられるものの中から選択して用いるのが好ましく、具体例としては、炭素数２〜２０のアルキルメルカプタン、メルカプト酸類、チオフェノール、四塩化炭素などが挙げられる。これらは、単独または２種以上組合せて用いられる。
【００３２】
得られたメタクリル系樹脂組成物（Ｃ）ラテックスは、通常の凝固、洗浄および乾燥の操作により、または、スプレ−乾燥、凍結乾燥などによる処理により、樹脂組成物（Ｃ）が分離、回収される。
【００３３】
本発明のメタクリル系樹脂組成物（Ｃ）には、必要に応じて、ポリグルタルイミド、無水グルタル酸ポリマー、ラクトン環化メタクリル系樹脂、メタクリル系樹脂、ポリエチレンテレフタレート樹脂、ポリブチレンテレフタレート樹脂等を配合することも可能である。ブレンドの方法は特に限定されず、公知の方法を用いることができる。
【００３４】
本発明のメタクリル系樹脂組成物（Ｃ）には、着色のために無機系顔料または有機系染料を、熱や光に対する安定性を更に向上させるために抗酸化剤、熱安定剤、紫外線吸収剤、紫外線安定剤などを、あるいは、抗菌、脱臭剤、滑剤等を、単独または２種以上組み合わせて添加してもよい。
【００３５】
本発明のメタクリル系樹脂組成物（Ｃ）は、特にフィルムとして有用であり、例えば、通常の溶融押出法であるインフレーション法やＴダイ押出法、あるいはカレンダー法、更には溶剤キャスト法等により良好に加工される。
【００３６】
本発明においては、必要に応じて、フィルムを成形する際、フィルム両面をロールまたは金属ベルトに同時に接触させることにより、特にガラス転移温度以上の温度に加熱したロールまたは金属ベルトに同時に接触させることにより、表面性のより優れたフィルムを得ることも可能である。また、目的に応じて、フィルムの積層成形や、二軸延伸によるフィルムの改質も可能である。
【００３７】
本発明のメタクリル系樹脂組成物（Ｃ）より得られたフィルムは、必要に応じて、公知の方法によりフィルム表面の光沢を低減させることができる。例えば、メタクリル系樹脂組成物（Ｃ）に無機充填剤または架橋性高分子粒子を混練する方法等で実施することが可能である。また、得られるフィルムをエンボス加工により、フィルム表面の光沢を低減させることも可能である。
【００３８】
本発明のメタクリル系樹脂組成物（Ｃ）から得られるフィルムの厚みは、１０〜１５０μｍが好ましく、３０〜１００μｍがより好ましく、４０〜８０μｍがさらに好ましい。フィルムの厚みが１０μｍ未満ではフィルムの成形性が低下する傾向があり、１５０μｍを超えると、得られるフィルムの透明性が低下する傾向がある。
【００３９】
本発明のメタクリル系樹脂組成物（Ｃ）から得られるフィルムは、１５０℃の雰囲気で１０分間加熱処理した際の収縮率が４０％以下であることが好ましく、３５％以下であることがより好ましく、３０％以下であることがさらに好ましい。収縮率が４０％を超えると、メタクリル系樹脂（Ｃ）から得られるフィルムを熱可塑性樹脂シートに熱ラミネーション法で積層した場合、フィルムが加熱により収縮してシートより短くなり生産性が低下する傾向がある。
なお、本発明のメタクリル系樹脂組成物においては、前述したように、メタクリル系樹脂組成物（Ｃ）中のメチルエチルケトン可溶分の重量分子量Ｍｗを制御することにより、フィルムの加熱収縮率を制御することができる。
【００４０】
本発明のメタクリル系樹脂組成物（Ｃ）から得られるフィルムは、２３℃の雰囲気で７日間ＤＯＰ（ジ−２−エチルヘキシルフタレート）に浸漬した際の重量変化が０．５％以下であることが好ましく、０．４％以下であることがより好ましく、０．３％以下であることがさらに好ましい。ＤＯＰ浸漬前後の重量変化が０．５％を超えると、メタクリル系樹脂組成物（Ｃ）から得られるフィルムを塩化ビニルシートに積層した場合、塩化ビニルシートに配合される可塑剤（ＤＯＰ）によってメタクリル系樹脂フィルムが曇る、すなわち、フィルムの耐薬品性が低下する傾向がある。
なお、本発明のメタクリル系樹脂組成物においては、前述したように、アクリル酸エステル系架橋弾性体粒子（Ｂ）中の多官能性単量体（ｂ−２）の共重合量ｂｍを制御することにより、フィルムの耐薬品性を改善することができる。
【００４１】
本発明のメタクリル系樹脂組成物より得られたフィルムは、金属、プラスチックなどに積層して用いることができる。フィルムの積層方法としては、積層成形や、鋼板などの金属板に接着剤を塗布した後、金属板にフィルムを載せて乾燥させ貼り合わせるウエットラミネ−トや、ドライラミネ−ト、押出ラミネ−ト、ホットメルトラミネ−トなどがあげられる。
【００４２】
プラスチック部品にフィルムを積層する方法としては、フィルムを金型内に配置しておき、射出成形にて樹脂を充填するインサート成形またはラミネートインジェクションプレス成形や、フィルムを予備成形した後に金型内に配置し、射出成形にて樹脂を充填するインモールド成形などがあげられる。
【００４３】
本発明のメタクリル系樹脂組成物から得られるフィルム積層品は、自動車内装材，自動車外装材などの塗装代替用途、窓枠、浴室設備、壁紙、床材などの建材用部材、日用雑貨品、家具や電気機器のハウジング、ファクシミリなどのＯＡ機器のハウジング、電気または電子装置の部品などに使用することができる。また、成形品としては、照明用レンズ、自動車ヘッドライト、光学レンズ、光ファイバ、光ディスク、液晶用導光板、液晶用フィルム、滅菌処理の必要な医療用品、電子レンジ調理容器、家電製品のハウジング、玩具またはレクリエーション品目などに使用することができる。
【００４４】
本発明のメタクリル系樹脂組成物より得られたフィルムには、グラビヤ印刷法、フレキソグラフ印刷法、シルクスクリーン印刷法などの公知の印刷法で印刷層を形成することができ、木目などの任意の絵柄を形成することができる。さらに、該フィルムには、アルミニウム、クロム、金、銀、銅、ニッケル、コバルト、亜鉛、真鍮、ステンレスなどの金属を用いて、真空蒸着法、スパッタリング法、湿式メッキ法等により、金属層を形成することができる。あるいは、金属箔状のものを、接着剤層を介して、あるいは熱融着などによりフィルムに積層することにより、金属調を形成することができる。
【実施例】
【００４５】
次に、本発明を実施例に基づき、さらに詳細に説明するが、本発明はこれらの実施例のみに限定されるものではない。
【００４６】
なお、以下の実施例および比較例で測定した物性の各測定方法は、次のとおりである。
【００４７】
（重合転化率の評価）
得られたメタクリル系樹脂組成物（Ｃ）ラテックスを、熱風乾燥機内にて１２０℃で１時間乾燥して固形成分量を求め、１００×固形成分量／仕込み単量体（％）により重合転化率（％）を算出した。
【００４８】
（ラテックスの平均粒子径の評価）
得られたメタクリル系樹脂組成物（Ｃ）ラテックスをＬＥＥＤ＆ＮＯＲＴＨＲＵＰ  ＩＮＳＴＲＵＭＥＮＴＳ社のＭＩＣＲＯＴＲＡＣ  ＵＰＡを用い、光散乱法により体積平均粒子径（μｍ）を測定した。
【００４９】
（重量平均分子量の評価）
得られたメタクリル系樹脂組成物（Ｃ）粉末をメチルエチルケトン４０ｍｌに添加し１２時間室温で放置後、マグネチックスターラーを用い３０分間攪拌を行った。これを遠心分離機（日立工機（株）製、分級用遠心分離機ＣＰ６０Ｅ）を用い３００００ｒｐｍで１時間遠心分離し、デカンテーションにより、メチルエチルケトン不溶分と可溶分とに分離した。メチルエチルケトン不溶分にさらにメチルエチルケトン２０ｍｌを加え、同様に遠心分離およびデカンテーションを２回繰り返すことによりメチルエチルケトン不溶分と可溶分とに分離した。
メチルエチルケトン可溶分をメタノールで析出させ、真空乾燥機を用い６０℃で１０時間乾燥させ、可溶分のサンプルを得た。得られた可溶分サンプル５ｍｇを２ｍｌのクロロホルムに溶解させた後、その溶液をディスポシリンジの先端にフィルター（アドバンテック東洋株式会社製、ＤＩＳＭＩＣ１３ＪＰ０５０ＡＮ）を付けもので濾過した。この溶液を、ゲルパーミエーションクロマトグラフ（島津製作所（株）製ＬＣ−６ＡＤ、カラム：Ｓｈｏｄｅｘ製Ｋ−８０６Ｍを２本＋ガードカラム）を用いてポリスチレン換算の重量平均分子量を測定した。
【００５０】
（透明性の評価）
得られたフィルムの透明性は、ＪＩＳ  Ｋ６７１４に準じて、温度２３℃±２℃、湿度５０％±５％の条件下にて、ヘイズを測定した。
【００５１】
（鉛筆硬度の評価）
得られたフィルムの鉛筆硬度を、ＪＩＳ  Ｓ−１００５に準じて測定した。
【００５２】
（耐薬品性の評価）
得られたフィルムを積層し、２００℃×５０ｋｇｆ／ｃｍ２で５分間プレスを行い、厚み０．３ｍｍのシートを得た。得られたシートを２０×２０ｍｍの試験片に切出した。得られた試験片をＤＯＰ（ジ２−エチルヘキシルフタレート）に浸漬し、２３℃雰囲気で７日間放置後、重量変化を測定した。
重量変化率（％）＝（浸漬後の重量−浸漬前の重量）／浸漬前の重量×１００
【００５３】
（成形性の評価）
厚み５５μｍでのフィルム成形を３時間連続して行い、その運転状況を観察し、以下の基準により評価をした。
○：フィルムの厚みが均一で、切れずに成形できる。フィルム成形時、スリットを入れても割れが生じない。
△：フィルムの厚みが均一で、切れずに成形できるが、スリットを入れると、短時間割れが生じた。
×：フィルムの厚みが不均一またはフィルム切れ、スリットを入れると割れが生じた。
【００５４】
（フィルムの収縮率の評価）
得られたフィルムを直径１００ｍｍの円盤状に切出し、１５０℃で１０分間加熱後の寸法を測定し、収縮率を求めた。
加熱収縮率（％）＝（加熱前の寸法−加熱後の寸法）／加熱前の寸法×１００
【００５５】
また、製造例、実施例および比較例中の「部」は重量部、「％」は重量％を表す。また、略号はそれぞれ下記の物質を表す。
ＢＡ：アクリル酸ブチル
ＭＭＡ：メタクリル酸メチル
ＣＨＰ：クメンハイドロパーオキサイド
ｔＤＭ：ターシャリドデシルメルカプタン
ＡｌＭＡ：メタクリル酸アリル
【００５６】
（製造例１）メタクリル系樹脂組成物の製造
攪拌機付き８Ｌ重合装置に、以下の物質を仕込んだ。
脱イオン水                                              ２００部
ジオクチルスルフォコハク酸ナトリウム                 ０．３５部
ソディウムホルムアルデヒドスルフォキシレ−ト          ０．１５部
エチレンジアミン四酢酸−２−ナトリウム             ０．００４部
硫酸第一鉄                                    ０．００１部
重合機内を窒素ガスで充分に置換し実質的に酸素のない状態とした後、内温を６０℃にし、表１中（１）に示した単量体混合物（Ｂ）［すなわち、ＢＡ９０重量％およびＭＭＡ１０重量％からなる単量体混合物１００重量％に対し、ＡｌＭＡ２．０重量％およびＣＨＰ０．２重量％からなる単量体混合物３０部］を１０部／時間の割合で連続的に添加し、添加終了後、さらに０．５時間重合を継続し、アクリル酸エステル系架橋弾性体粒子（Ｂ）を得た。重合転化率は９９．５％であった。
その後、ジオクチルスルフォコハク酸ナトリウム０．３部を仕込んだ後、内温を６０℃にし、表１中（１）に示した単量体混合物（Ａ）［すなわち、ＢＡ１０重量％およびＭＭＡ９０重量％からなる単量体混合物１００重量％に対し、ｔＤＭ０．６重量％およびＣＨＰ０．５重量％からなる単量体混合物７０部］を１０部／時間の割合で連続的に添加し、さらに１時間重合を継続し、メタクリル系樹脂組成物（Ｃ）を得た。重合転化率は９８．５％であった。得られたラテックスを塩化カルシウムで塩析、凝固し、水洗、乾燥して樹脂粉末（１）を得た。
樹脂粉末（１）１００部に対し、紫外線吸収剤としてチヌビン２３４（チバスペシャルケミカル製）２部及び酸化防止剤としてトミノックスＴＴ（（株）エーピーアイ  コーポレーション製）０．２部を混合し、ベント付き４０ｍｍφ単軸押出機を用いて、シリンダ温度を２２０℃に設定して溶融混練を行い、押出してペレットを得た。
【００５７】
【表１】
2009024112.tif 000002
（製造例２〜１４）
単量体組成を表１のように変更した以外は、製造例１と同様に重合を行い、凝固、水洗、乾燥して樹脂粉末（２）〜（１４）を得、さらに溶融混練を行い、ペレット化した。
【００５８】
（実施例１〜５、比較例１〜９）
製造例で得られたペレットを、Ｔダイ付き４０ｍｍφ押出機を用いて、ダイス温度２４０℃、冷却ロール温度８０℃の条件にて成形し、厚み５５μｍのフィルムを得た。
【００５９】
得られたフィルムを用いた種々の特性を評価し、その結果を表２に示した。
【００６０】
【表２】
2009024112.tif 000003
メタクリル系樹脂組成物（Ｃ）の単量体組成比、層構造、重量平均分子量、アクリル酸エステル系架橋弾性体粒子（Ｂ）の平均粒子径、含有量、および（Ｂ）中の多官能性単量体の共重合量が、本発明の範囲を外れると、透明性、耐候性、硬度、耐衝撃性、耐薬品性、成形性及び加熱収縮性に優れたフィルムを得ることができなかった。